(57)【要約】【課題】イオン発生装置を備えているヘアードライヤーにおいて、イオン化した酸素と水分子との接触機会を増加し、以て、水分子と結合した状態のマイナスイオンの総量を増加し、さらにマイナスイオンの消滅を極力抑止する。【解決手段】本体ケース１の内部に、送風ファン１５およびモーター１６と、ヒーター１７を配置し、送風ファン１５から送給される乾燥風の中央領域にイオン発生器３１を配置する。送風ファン１５と吹出グリル２８との間に、ヒーター１７で加熱される前の冷風をイオン発生器３１の周囲へ向かって強制的に流動案内する収束体４０を設ける。収束体４０は、送風ファン１５の側からイオン発生器３１の側へ向かって先すぼまり状に形成し、その表面に沿って冷風を流動案内する。【選択図】図１
2008054770.tif 000002
【特許請求の範囲】
【請求項１】
中空筒状の本体ケース（１）の内部に、送風ファン（１５）およびモーター（１６）と、ヒーター（１７）が配置されており、
送風ファン（１５）と吹出グリル（２８）との間であって、送風ファン（１５）から送給される乾燥風の中央領域にイオン発生器（３１）が配置されており、
送風ファン（１５）と吹出グリル（２８）との間に、ヒーター（１７）で加熱される前の冷風をイオン発生器（３１）の周囲へ向かって流動案内する収束体（４０）が設けてあることを特徴とするヘアードライヤー。
【請求項２】
ヒーター（１７）の配置位置と送風ファン（１５）との間に収束体が配置されており、
収束体が、送風ファン（１５）から送出された乾燥風を、イオン発生装置の周囲へ向かって強制的に変向案内する複数個のガイド羽根（５６）で構成してある請求項１記載のヘアードライヤー。
【請求項３】
イオン発生器（３１）と送風ファン（１５）との間に、送風ファン（１５）の側からイオン発生器（３１）の側へ向かって先すぼまり状に形成した収束体（４０）が配置されており、
収束体（４０）の周面に沿って冷風を流動案内する請求項１記載のヘアードライヤー。
【請求項４】
収束体（４０）の尖端が、ヒーター（１７）で囲まれる通風領域内の中途部に位置させてある請求項３記載のヘアードライヤー。
【請求項５】
収束体（４０）の周囲複数箇所に、収束体（４０）の周面に沿って流動する冷風を整流するための整流翼（４３）が形成してある請求項３または４記載のヘアードライヤー。
【請求項６】
収束体（４０）の尖端に隣接して、収束体（４０）で流動案内された冷風をイオン発生器（３１）の回りへ向かって流動案内する前部ガイド（４１）が設けられており、
前部ガイド（４１）の周面は、収束体（４０）の尖端へ向かって先すぼまり状に形成されて、その内部にイオン発生器（３１）が収容してある請求項３、４または５記載のヘアードライヤー。
【請求項７】
収束体（４０）および前部ガイド（４１）の周面のそれぞれに、収束体（４０）および前部ガイド（４１）で流動案内される冷風を整流する整流翼（４３・４４）が設けてある請求項６記載のヘアードライヤー。
【請求項８】
収束体（４０）と前部ガイド（４１）とが一体成形されて、その内部にイオン発生器（３１）と高電圧発生部（３２）が収容されており、
収束体（４０）および前部ガイド（４１）の周面に沿って流動する冷風を整流する整流翼（４３・４４）が、収束体（４０）および前部ガイド（４１）の周面に連続形成してある請求項６または７記載のヘアードライヤー。
【請求項９】
本体ケース（１）の吹出口（２７）に設けたノズル（２）の内面に、吹出口（２７）の中央部分から送出される冷風を多く含む乾燥風を絞って、乾燥風の流速を増す加速ノズル（４６）が設けてある請求項１から８のいずれかに記載のヘアードライヤー。
【請求項１０】
本体ケース（１）の吹出口（２７）と送風ファン（１５）との間に、吹出口（２７）へ向かって先すぼまり状に形成されて前後端が開口する筒状の収束体（４０）が配置されており、
収束体（４０）の内部通路の出口寄りにイオン発生器（３１）が配置されており、
ヒーター（１７）で加熱される前の冷風の一部を、収束体（４０）でイオン発生器（３１）の周囲へ向かって流動案内できる請求項１記載のヘアードライヤー。
【発明の詳細な説明】
【技術分野】
【０００１】
本発明は、イオン発生装置を備えているヘアードライヤーに関する。
【背景技術】
【０００２】
この種のヘアードライヤーは、例えば特許文献１に公知である。そこでは、本体ケースで区画される風洞内に送風ファンとヒーターとを順に配置し、ヒーターで囲まれる風洞内の中央部分にイオン発生装置を配置している。詳しくは、筒状のモーターホルダーを吹出グリルの側へ延長し、その内部にモーターとイオン発生装置のトランスユニットを配置している。さらに、吹出グリルの中央部にイオン発生器を装着して、モーターホルダーの前端にイオン発生器を隣接させている。送風ファンに隣接するモーターホルダーの周囲には整流翼が放射状に設けてあり、送風ファンで旋回された乾燥風を整流翼で逆向きに変向案内して、風洞内における乾燥風の流動を円滑化している。
【０００３】
本発明に関して、モーター本体部の風下側の端部に半球状のキャップを配置し、さらにモーター本体部の周囲に整流翼を配置して、送風ファンから送給される乾燥風を円滑に収束し、以て吹き出し風量を増加することが特許文献２に公知である。キャップの内部にはモーター制御用の回路基板が収容してある。特許文献３には、吹出口に装着されるノズルの内面に複数個の整流羽を設けて、ヘアーブロウに適した勢いのある乾燥風を送出することが開示してある。
【０００４】
【特許文献１】特開２００６−５１１８１号公報（段落番号００２４、図４）
【特許文献２】特開平２−１３６５９９号公報（第３頁左上欄１６行、第１図）
【特許文献３】特開２００６−７５１９４号公報（段落番号００２８、図１）
【発明の開示】
【発明が解決しようとする課題】
【０００５】
特許文献１のヘアードライヤーにおいては、ヒーターで囲まれる風洞内の中央部分に筒構造のモーターホルダーとイオン発生装置のイオン発生器を隣接配置するが、モーターホルダーおよびイオン発生器とヒーターとの径方向間隔が小さいので、イオン発生器の周囲がヒーターで加熱された温風によって包まれるのを避けられない。このように、イオン発生器が温風に晒される状態では、コロナ放電によってマイナスイオン化した酸素が温風に向かって放出されるので、マイナスイオンと水分子との結合機会が減少し、毛髪に到達する以前にマイナスイオンが消滅しやすい。
【０００６】
モーター本体部の周囲に整流翼を配置する特許文献２のヘアードライヤーによれば、整流翼の前後長さが大きい分だけ、風洞内における乾燥風の流動を円滑化できる。しかし、整流翼と吹出口との間の通路中央にヒーターが配置してあるので、整流化された乾燥風の流れがヒーターによって乱されるのを避けられず、その分だけ風洞全体における乾燥風の通風抵抗が増加し、吹出口から送出される乾燥風の風量が低下する。乾燥風の到達距離も小さくなる。
【０００７】
本発明の目的は、イオン発生器の周囲をヒーターで加熱される前の冷風で包み込むことにより、イオン化した酸素と水分子との接触機会を増加し、以て、水分子と結合した状態のマイナスイオンの総量を増加し、さらにマイナスイオンの消滅を極力抑止することができるヘアードライヤーを提供することにある。本発明の目的は、風洞全体における乾燥風の流動を円滑化して吹出口から送出される乾燥風の風量を向上でき、しかも、乾燥風の到達距離を拡大して、水分子と結合したマイナスイオンを乾燥風とともにより確実に毛髪へ送給できるヘアードライヤーを提供することにある。
【課題を解決するための手段】
【０００８】
本発明のヘアードライヤーは、中空筒状の本体ケース１の内部に、送風ファン１５およびモーター１６と、ヒーター１７を配置する。さらに、送風ファン１５と吹出グリル２８との間であって、送風ファン１５から送給される乾燥風の中央領域にイオン発生装置を配置する。以て、送風ファン１５と吹出グリル２８との間に、ヒーター１７で加熱される前の冷風をイオン発生装置の周囲へ向かって流動案内する収束体４０を設ける点に特徴を有する。
【０００９】
ヒーター１７の配置位置と送風ファン１５との間に収束体を配置する。収束体は、送風ファン１５から送出された乾燥風を、イオン発生装置の周囲へ向かって強制的に変向案内する複数個のガイド羽根５６で構成する。
【００１０】
イオン発生器３１と送風ファン１５との間に、送風ファン１５の側からイオン発生器３１の側へ向かって先すぼまり状に形成した収束体４０を配置して、収束体４０の周面に沿って冷風を流動案内する。
【００１１】
収束体４０の尖端を、ヒーター１７で囲まれる通風領域内の中途部に位置させる。
【００１２】
収束体４０の周囲複数箇所に、収束体４０の周面に沿って流動する冷風を整流するための整流翼４３を形成する。
【００１３】
収束体４０の尖端に隣接して、収束体４０で流動案内された冷風をイオン発生器３１の回りへ向かって流動案内する前部ガイド４１を設ける。前部ガイド４１の周面は、収束体４０の尖端へ向かって先すぼまり状に形成し、その内部にイオン発生器３１を収容する。
【００１４】
収束体４０および前部ガイド４１の周面のそれぞれに、収束体４０および前部ガイド４１で流動案内される冷風を整流する整流翼４３・４４を設ける。
【００１５】
収束体４０と前部ガイド４１とを一体成形して、その内部にイオン発生器３１と高電圧発生部３２を収容する。収束体４０および前部ガイド４１の周面に沿って流動する冷風を整流する整流翼４３・４４を、収束体４０および前部ガイド４１の周面に連続形成する。
【００１６】
本体ケース１の吹出口２７に設けたノズル２の内面に、吹出口２７の中央部分から送出される冷風を多く含む乾燥風を絞って、乾燥風の流速を増す加速ノズル４６を設ける。
【００１７】
本体ケース１の吹出口２７と送風ファン１５との間に、吹出口２７へ向かって先すぼまり状に形成されて前後端が開口する筒状の収束体４０を配置する。収束体４０の内部通路の出口寄りにイオン発生器３１を配置する。ヒーター１７で加熱される前の冷風の一部を、収束体４０でイオン発生器３１の周囲へ向かって流動案内できるようにする。
【発明の効果】
【００１８】
本発明のヘアードライヤーにおいては、本体ケース１の内部に、送風ファン１５およびモーター１６と、ヒーター１７を配置し、さらに、送風ファン１５と吹出グリル２８との間であって、送風ファン１５から送給される乾燥風の中央領域にイオン発生器３１を配置した。そのうえで、送風ファン１５と吹出グリル２８との間に収束体４０を設けて、ヒーター１７で加熱される前の冷風を収束体４０でイオン発生器３１の周囲へ向かって流動案内できるようにした。
【００１９】
このように、冷風を収束体４０でイオン発生器３１の周囲へ向かって流動案内すると、イオン発生器３１の周囲を、ヒーター１７で加熱される前の湿度が高い冷風で包み込むことができるので、イオン化した酸素と水分子との接触機会を増加できる。したがって、本発明のヘアードライヤーによえば、水分子と結合した状態のマイナスイオンの総量を増加して、毛髪に到達する水分子と結合した状態のマイナスイオンの量を増加できる。さらに、マイナスイオンを冷風に含まれる水分子と結合させることにより、水分子と結合したマイナスイオンの質量を向上できるので、水分子と結合した状態のマイナスイオンの到達距離を拡大しながら、飛翔途中に消滅するマイナスイオンの量を抑止でき、全体として整髪効果を向上できるヘアードライヤーが得られる。
【００２０】
ヒーター１７で加熱されにくい乾燥風の中央領域にイオン発生器３１を配置し、さらにヒーター１７で加熱される前の冷風を、収束体４０でイオン発生器３１の周囲へ向かって流動案内するので、マイナスイオンと結合した水分子の温度（エネルギー状態）を低く維持できる。これにより、毛髪に付着した水分子が蒸散するのをよく防止して、毛髪を潤いのある状態に仕上げてさらに整髪効果を向上できる。
【００２１】
ヒーター１７の配置位置と送風ファン１５との間に配置した収束体を複数個のガイド羽根５６で構成すると、送風ファン１５から送出された冷風の一部を、ガイド羽根５６でイオン発生器３１の周囲へ向かって強制的に変向案内して、イオン化した酸素と水分子との接触機会を増加できる。また、複数個のガイド羽根５６で冷風を変向案内するので、立体構造の収束体４０を設ける場合に比べて、収束体の構造をコンパクト化し本体ケース１の内部構造を簡素化できる。
【００２２】
送風ファン１５の側からイオン発生器３１の側へ向かって先すぼまり状に形成した収束体４０を配置すると、送風ファン１５から送出された冷風の一部を、収束体４０の周面に沿って流動案内して、イオン発生器３１の周囲をヒーター１７で加熱される前の冷風で包み込んで、イオン化した酸素と水分子との接触機会を増加できる。イオン発生器３１の側へ向かって先すぼまり状に形成した収束体４０で冷風を案内するので、風洞全体における乾燥風の流動を円滑化して流動抵抗を低下でき、その分だけ吹出口２７から送出される乾燥風の風量を向上し、しかも、乾燥風の到達距離を拡大して、水分子と結合したマイナスイオンを冷風とともにより確実に毛髪へ送給できる。
【００２３】
収束体４０の尖端をヒーター１７で囲まれる通風領域内の中途部に位置させると、冷風をより長い距離流動案内して、風洞内における乾燥風の流動を円滑化でき、風量の低下を避けながら、水分子と結合したマイナスイオンを冷風とともにより確実に毛髪へ送給できる。収束体４０の案内長さが大きい分だけ、冷風がヒーター１７で加熱される機会を減少して、冷風の温度上昇を防止できる利点もある。
【００２４】
収束体４０の周囲複数箇所に整流翼４３を設けると、収束体４０の周面に沿って流動する冷風を整流翼４３で整流して直進性を付与することにより、吹出口２７から送出される乾燥風の風量を向上でき、同時に水分子と結合した状態のマイナスイオンを含む冷風の到達距離を拡大して、温風と接触して混ざりあうのを抑止できるので、全体として整髪効果をさらに高めることができる。
【００２５】
収束体４０の尖端に隣接して、収束体４０の尖端へ向かって先すぼまり状に形成される前部ガイド４１を設け、その内部にイオン発生器３１を収容し、収束体４０で流動案内された冷風を前部ガイド４１でイオン発生器３１の回りへ向かって流動案内すると、乾燥風の中央領域に収束された冷風を前部ガイド４１で筒状に流動案内して、筒状の冷風の中央部分に向かってマイナスイオンを放出できる。
【００２６】
これにより、イオン化した酸素と水分子との接触機会を増加できるのはもちろん、水分子と結合した状態のマイナスイオンの周囲を冷風で囲んだ状態で送出して、マイナスイオンを含む冷風が温風と混ざりあうのをより確実に防止でき、吹出口２７から送出されたマイナスイオンが飛翔途中に消滅するのをさらに確実に防止し整髪効果をさらに高めることができる。イオン発生器３１を前部ガイド４１の内部に収容するので、収束体４０で収束した冷風をイオン発生器３１の周囲に直接供給する場合に比べて通風抵抗を減少でき、その分だけ吹出口２７から送出される乾燥風の風量を向上できる。
【００２７】
収束体４０および前部ガイド４１の周面のそれぞれに、収束体４０および前部ガイド４１で流動案内される冷風を整流する整流翼４３・４４を設けると、収束体４０および前部ガイド４１の周面に沿って流動する冷風を整流翼４３・４４で整流して、吹出口２７から送出されるマイナスイオンを含む冷風の直進性を向上して確実に毛髪へ送給でき、整髪効果をさらに向上できる。
【００２８】
収束体４０と前部ガイド４１とを一体成形して、その内部にイオン発生器３１と高電圧発生部３２を収容すると、イオン発生器３１と高電圧発生部３２によって乾燥風の流れが乱されるのを防止して通風抵抗を減少でき、その分だけ送風効率を向上できる。また、イオン発生器３１や高電圧発生部３２が乾燥風に晒されることで、風切り音や渦流による騒音が発生するのを解消して、ヘアードライヤーを静音化できる。
【００２９】
本体ケース１の吹出口２７に設けたノズル２の内面に加速ノズル４６を設け、吹出口２７の中央部分から送出される冷風を多く含む乾燥風を加速ノズル４６で絞るようにすると、ノズル２から吹き出される冷風を多く含む乾燥風の流速を増加して、水分子と結合した状態のマイナスイオンを速やかに毛髪へ送給でき、その分だけ毛髪に対するマイナスイオンの到達度を向上し、整髪効果を高めることができる。
【００３０】
吹出口２７と送風ファン１５との間に吹出口２７へ向かって先すぼまり状の収束体４０を配置し、ヒーター１７で加熱される前の冷風の一部を収束体４０の内部に導入し、導入した冷風を収束体４０の出口寄りに配置したイオン発生器３１の周囲へ向かって流動案内する送風構造によれば、ヒーター１７の放射熱を収束体４０で遮断した状態で冷風を収束しイオン発生器３１の周囲に送給できる。したがって、収束体の周面に沿って冷風を流動案内する場合に比べて、ヒーター１７で加熱された温風の一部がイオン発生器３１の周囲に送給されるのを確実に防止して、イオン発生器３１の周囲に到達した冷風の温度を低下でき、イオン発生器３１の周囲をより低温の冷風で包み込んで、イオン化した酸素と水分子との接触機会を増加できる。
【発明を実施するための最良の形態】
【００３１】
（実施例）  図１ないし図５は本発明に係るヘアードライヤーの実施例を示す。図２において、ヘアードライヤーは、左右に長い中空筒状の本体ケース１と、その前端に着脱自在に装着されるノズル２と、本体ケース１の下面後側に設けたグリップ３とを有する。
【００３２】
グリップ３の前面上下には、ヒーター１７への通電状態を切り換えるスイッチボタン４と、風量を三段階に切り換えるスイッチノブ５とが設けてあり、これらのスイッチボタン４、およびスイッチノブ５で切り換え操作されるスイッチ４ａ、５ａがグリップ３の内部に組み込んである。スイッチボタン４用のスイッチ４ａは、常態においてオン状態になっており、スイッチボタン４を押し込み操作するとオフ状態に切り換わって、ヒーター１７への通電を停止できる。
【００３３】
スイッチノブ５は、下端のオフ位置から上方へ向かってスライド変位させることにより、弱風、強風、ターボの順にスイッチ５ａを切り換えて、モーター１６の駆動回転数を大小に変更できる。このときイオン発生装置も同時に駆動される。イオン発生装置は、専用のスイッチをオン操作することで駆動してもよい。
【００３４】
本体ケース１は、左右に二分割される主ケース７と、主ケース７の前端、および後端に外嵌装着される前ケース８、および後ケース９と、後ケース９の後端に係合装着されるグリルケース１０などで構成してある。グリルケース１０で区画される吸込口１１は、粗いフィルターを兼ねる部分球面状の吸込グリル１２で覆ってある。本体ケース１の内部には、軸流型の送風ファン１５と、送風ファン１５を回転駆動するモーター１６と、ヒーター１７とが吸込口１１の側から記載順に配置してある。
【００３５】
図１に示すように、吸込口１１に臨む本体ケース１の内面後端にはファンケース１９が配置され、その内部に送風ファン１５とモーター１６が組み込んである。詳しくは、送風ファン１５の周囲を囲む円筒状の導風筒２０と、中央のホルダー筒２１と、ホルダー筒２１と導風筒２０とを放射状に繋ぐ複数個の整流翼２２とでファンケース１９を構成する。ホルダー筒２１にはモーター１６が組み込まれ、ホルダー筒２１および整流翼２２より後側（吸込口１１側）の空間に送風ファン１５が配置してある。
【００３６】
図４に示すように、ニクロム線で形成されるヒーター１７は、主ケース７の内部に固定されて＊字状に組まれた３個のヒーターホルダー２５の周囲に螺旋状に巻き掛けられており、その周囲は前すぼまり円筒状の絶縁筒２６と、絶縁筒２６の外面を覆う薄鋼板製の補強筒とで覆ってある。ヒーター１７、ヒーターホルダー２５、絶縁筒２６および補強筒は、一組の部材として取り扱うことができ、先の主ケース７で左右に抱持固定され、さらに、主ケース７の吹出口２７の内面に固定した吹出グリル２８と、先のファンケース１９とで前後に挟持固定してある。絶縁筒２６および補強筒は、ヒーター１７の輻射熱を遮断する断熱体として機能しており、これにより主ケース７が熱くなるのを防止できる。
【００３７】
送風ファン１５から送給される乾燥風の大半は、整流翼２２で整流された後、導風筒２０に連続する絶縁筒２６の内面に沿って案内されて吹出口２７へと移行するが、その間にヒーター１７で加熱されて温風化される。送風ファン１５から送給される乾燥風の一部は、ヒーター１７で囲まれる送給路の中央領域を移行する。この中央領域を移行する乾燥風はヒーター１７と接触する機会が殆どないため、先の温風より低い温度の乾燥風（冷風）として吹出口２７から送出される。なお、この発明で言う冷風とは、ヒーター１７で加熱された温風に比べて充分に温度が低い乾燥風を意味し、使用者の体感温度とは無関係である。温風の温度は、使用するヒーター１７の熱容量や送風ファン１５の送風量などの違いによって一様ではなく、冷風の温度は季節によって異なる空気温度に左右される。しかし、温風と冷風の温度差がどの程度あるかとの理解を助けるために一例をあげると、吹出口２７における温風温度が１２０℃前後であるとき、中央領域を流動する冷風の温度が６０℃前後になるような状況を意味する。
【００３８】
送風ファン１５で生起した乾燥風とともに、マイナスイオンを毛髪に送給するために、先の乾燥風の中央領域、つまり主として冷風が通過する領域であって、吹出グリル２８の内面中央に臨む位置にイオン発生装置を配置している。図１に示すように、イオン発生装置は、イオン発生器３１と高電圧発生部３２とで構成する。イオン発生器３１は、針状の中央電極３３と、リング状の周囲電極３４と、これら両者３３・３４を支持する電極ホルダー３５などで構成する。電極ホルダー３５には誘電筒３６が形成してあり、その内部中央に中央電極３３が配置され、誘電筒３６の外周面の基端に周囲電極３４が配置してある（図５参照）。
【００３９】
高電圧発生部３２は、整流回路およびパルス発生回路と、パルス発生回路で調整されたパルス電流を昇圧するトランスなどのイオン発生回路の構成部品を、樹脂中に封入して１個の部品としてまとめてある。先の中央電極３３と周囲電極３４との間に、イオン発生回路で生成された高電圧を印加することによりコロナ放電を生じさせて、マイナスイオンを生成し放出することができる。
【００４０】
ヒーター１７で加熱される前の冷風を、イオン発生器３１の周囲へ向かって強制的に流動案内するために、乾燥風の中央領域に収束体４０と前部ガイド４１を設ける。収束体４０は、イオン発生器３１へ向かって先すぼまり状に形成される砲弾形のガイド本体４２と、ガイド本体４２の周面に突設される６個の整流翼４３とを一体に備えたプラスチック成形品からなる。
【００４１】
ガイド本体４２の内部は空洞になっており、空洞内に先の高電圧発生部３２が装着固定してある。ガイド本体４２の後端開口をモーター１６の後半部分に外嵌装着することにより、収束体４０をモーター１６と一体化して、両者１６・４０の中心軸線を一致させることができる。この取付状態において、収束体４０の尖端は、ヒーター１７で囲まれる通風領域の前後中途部に位置している。その意味は後述する。上記のようにガイド本体４２の内部に高電圧発生部３２を収容すると、高電圧発生部３２が乾燥風に晒されて、風切り音や渦流による騒音が発生するのを防止できる。
【００４２】
図３に示すように、整流翼４３は周方向へ隣接するヒーターホルダー２５で挟まれる空間の中央部分に位置させてあり、これにより、ガイド本体４２の周面に沿って流動する冷風を、整流翼４３とヒーターホルダー２５の内端部分との協同作用によって確実に整流し、冷風に直進性を付与できる。整流翼４３の突出寸法は、送風ファン１５に近い側では大きく、ガイド本体４２の尖端に近づくほど小さくなる。
【００４３】
前部ガイド４１は、ガイド本体４２と同様に、内部が空洞化された砲弾状のプラスチック成形品からなり、その周面に先の整流翼４３と同様の６個の整流翼４４が突設してある。整流翼４４の突出寸法は、前部ガイド４１の前部開口の側で大きく、尖端に近づくほど小さく設定してある。前部ガイド４１は、その尖端がガイド本体４２の尖端と隙間を介して前後に対向する状態でヒーターホルダー２５に固定する。この状態の前部ガイド４１の空洞内に先のイオン発生器３１を収容することにより、誘電筒３６の前端開口が吹出グリル２８の中央開口と正対する。なお、前部ガイド４１と収束体４０の中心軸線は本体ケース１の中心軸線上に位置させてある。
【００４４】
上記のように、乾燥風の送給通路の中央領域に収束体４０と前部ガイド４１を設けると、送風ファン１５から送出された冷風を収束体４０の周面で流動案内して、収束体４０の尖端と前部ガイド４１の尖端との間へ向かって冷風を滑らかに収束できる。また、収束された冷風は、前部ガイド４１の周面で断面が円筒状になるように流動案内されて、イオン発生器３１の誘電筒３６の回りを囲む冷風の流れが、前部ガイド４１の開口外面に形成される。したがって、イオン発生装置を駆動する状態においては、コロナ放電により生成されたマイナスイオンが、水分子を多く含む冷風の中央部分に向かって放出されることとなる。
【００４５】
絶縁筒２６で囲まれた乾燥風の送給通路の断面積は、その前後端において最小となり、収束体４０の尖端と前部ガイド４１の尖端との間において最大となる。したがって、前記送給通路における流速と圧力との関係は、収束体４０の尖端と前部ガイド４１の尖端との間において、断面積が大きい分だけ流速が低下し、その分だけ圧力が高くなる。
【００４６】
以上のように収束体４０で収束され、前部ガイド４１で円筒状に流動案内された冷風の中央部分に向かってマイナスイオンを放出すると、イオン化した酸素と水分子との接触機会を大幅に増加して、水分子と結合した状態のマイナスイオンの総量を増加できる。また、整流翼４３・４４の整流作用によって直進性が向上された冷風によって、水分子と結合した状態のマイナスイオンの到達距離を拡大できるので、全体として毛髪に到達する水分子と結合した状態のマイナスイオンの量を増加して整髪効果を向上できる。
【００４７】
収束体４０の尖端をヒーター１７で囲まれる通風領域の前後中途部に位置させるので、収束体４０の表面に沿って流れる冷風がヒーター１７で加熱されるのを極力避けることができ、さらに、前部ガイド４１を通過した後の、水分子と結合した状態のマイナスイオンを含む冷風が温風と接触して混ざりあうのを抑止できるので、その分だけマイナスイオンと結合した水分子の温度（エネルギー状態）を低く維持できる。これにより、毛髪に付着した水分子が蒸散するのをよく防止して、毛髪を潤いのある状態に仕上げ整髪効果を向上できる。
【００４８】
図１に示すように、ノズル２を併用して整髪を行う場合には、その内面に加速ノズル４６を設けておくことにより、吹出口２７の中央部分から送出される冷風を多く含む乾燥風を絞って乾燥風の流速を増強し、水分子と結合した状態のマイナスイオンを毛髪に一気に吹き付けることができるので、毛髪に到達するまでの間にマイナスイオンが消滅するのをよく防止できる。図５に示すように加速ノズル４６は、吹出口２７と対向する入口４７の開口面積が最大で、出口側の開口面積が最小となるように形成してあり、ノズル２の周囲壁とは数個の支持腕４８を介して繋がっている。
【００４９】
図６ないし図９は、収束体４０や前部ガイド４１の別の実施例を示す。図６においては、収束体４０と前部ガイド４１とを一体化して、その内部にイオン発生器３１と高電圧発生部３２を収容するようにした。詳しくは、収束体４０のガイド本体４２の尖端寄りと前部ガイド４１の先端寄りとを、くびれ部分５１を介して滑らかに連続させ、その外周面に沿って整流翼４３・４４を形成し、収束体４０の側の内部に高電圧発生部３２を配置し、前部ガイド４１の前端開口に臨んでイオン発生器３１を配置した。
【００５０】
このように、収束体４０と前部ガイド４１とを一体化すると、収束体４０で収束した冷風をくびれ部分５１で案内して、前部ガイド４１へと滑らかに流動案内できるので、収束体４０と前部ガイド４１とが個別に設けてある場合に比べて流動抵抗を小さくして、冷風の送風効率を向上できる。また、前部ガイド４１の内部にイオン発生器３１を収容するので、イオン発生器３１が乾燥風に晒されて、風切り音や渦流による騒音が発生するのを防止できる。他は先の実施例と同じであるので、同じ部材に同じ符号を付してその説明を省略する。以下の実施例においても同様に扱う。
【００５１】
上記の実施例では、収束体４０の外周面に沿って冷風を流動案内したがその必要はなく、図７に示すように、本体ケース１の吹出口２７と送風ファンとの間に収束体４０を配置し、収束体４０の内部を流動する冷風を通路の出口寄りにイオン発生器３１へ向かって流動案内することができる。収束体４０は、吹出口２７へ向かって先すぼまり状に形成され、前後端が開口する筒状体からなり、その入口５３の開口径をホルダー筒２１の外径寸法より大きく設定することにより、送風ファン１５から送出された冷風を収束体４０の内部に導入して収束する。電極ホルダー３５と収束体４０の筒壁との間には、収束された冷風の通過を許す通路５４が、電極ホルダー３５の周囲を囲むように形成してある。なお、高電圧発生部３２は、入口５３寄りの通路中央の空間を利用して、収束体４０の内部に配置した。
【００５２】
図８においては、図１で説明したヘアードライヤーと同様に、乾燥風の送給通路の中央領域に収束体４０と前部ガイド４１を設けたうえで、ファンケース１９の整流翼２２に複数個のガイド羽根（収束体）５６を設けて、収束体４０とガイド羽根５６との協同作用によって、冷風をイオン発生装置の周囲へ向かって強制的に変向案内できるようにした。ホルダー筒２１を間に挟んで径方向に対向するガイド羽根５６は、それぞれ収束体４０へ向かって収束する向きに傾斜させてあり、隣接する整流翼２２の間を流動する冷風を強制的に収束体４０へ向かって流動案内する。
【００５３】
収束体４０と前部ガイド４１は、いずれも整流翼４３・４４が省略してある。この実施例における収束体４０とモーター１６の前端との間には、僅かな隙間が設けられており、モーター１６の周面の前部は露出させてある。したがって、モーター１６で発生した熱を先の露出部分から効果的に放出することができる。
【００５４】
図９においては、収束体４０のガイド本体４２を前すぼまりテーパー筒状に形成して、その前端にイオン発生器３１を配置した。このように、収束体４０は単に先すぼまり状に形成して、その前端がイオン発生器３１の周囲に位置させてあればよく、前部ガイド４１は省略することができる。
【００５５】
上記の実施例以外に、イオン発生器３１の構造は実施例で説明した構造である必要はなく、例えば２本の針状電極を対向配置する構造とすることができる。要はイオンを発生できる構造であれば、構造の如何は問わない。ガイド羽根５６はヒーターホルダー２５に設けることができる。図１、図６で説明した送風構造において、それぞれの整流翼４３・４４の外面を図７で説明したような筒状の収束体４０と同様の遮蔽筒で覆って、ヒーター１７から放出される輻射熱を遮蔽筒で遮断することができる。高電圧発生部３２は、グリップ３の内部空間を利用して配置することができ、その場合には、高電圧発生部３２が乾燥風に晒されて、風切り音や渦流による騒音が発生するのを防止できる。しかし、高電圧発生部３２を配置することでグリップ３が過大に太くなるのを避ける見地から言えば、本体ケース１内に配置することが好ましい。本発明はヘアードライヤー以外の、ヘアブロー、ペット用のドライヤーなどに適用できる。送風ファン１５は、遠心ファンや横貫流ファンであってもよい。
【図面の簡単な説明】
【００５６】
【図１】本体ケースの縦断側面図である。
【図２】ヘアードライヤーの側面図である。
【図３】図１におけるＡ−Ａ線断面図である。
【図４】図１におけるＢ−Ｂ線断面図である。
【図５】イオン発生器とノズルの関係を示す縦断側面図である。
【図６】別の実施例に係るヘアードライヤーの縦断側面図である。
【図７】さらに別の実施例に係るヘアードライヤーの縦断側面図である。
【図８】さらに別の実施例に係るヘアードライヤーの縦断側面図である。
【図９】さらに別の実施例に係るヘアードライヤーの縦断側面図である。
【符号の説明】
【００５７】
１  本体ケース
１１  吸込口
１５  送風ファン
１６  モーター
１７  ヒーター
２７  吹出口
３１  イオン発生器
３２  高電圧発生部
４０  収束体
４１  前部ガイド
【図１】
2008054770.tif 000003
【図２】
2008054770.tif 000004
【図３】
2008054770.tif 000005
【図４】
2008054770.tif 000006
【図５】
2008054770.tif 000007
【図６】
2008054770.tif 000008
【図７】
2008054770.tif 000009
【図８】
2008054770.tif 000010
【図９】
2008054770.tif 000011